(57)【要約】【課題】リーチインショーケースの庫外側の照度を高くするとともに、庫内照明灯からの熱により商品陳列室内を循環する冷気を暖めることを抑制して冷気の生成に関する熱効率を高める。【解決手段】リーチインショーケースの商品陳列室内に配置された庫内照明灯と、透明扉体の外側に配置された庫外照明灯と、リーチインショーケースの近くに居る人の有無を検出する人感センサとが設けられ、庫外照明灯は、店舗の営業時間中は常時点灯され、庫内照明灯は、光度を上げ下げ切替可能に設けられ、人感センサがショーケースの近くに居る人を検出している場合には光度を上げられ、人感センサがショーケースの近くに居る人を検出していない場合には光度を下げられる。【選択図】図３
2015181762.tif 000002
【特許請求の範囲】
【請求項１】
前面に開口が形成されるとともに内部に商品陳列室が形成されたショーケース本体と、前記開口を開閉可能とする透明扉体と、前記透明扉体の内側である前記商品陳列室内に配置された庫内照明灯とを有する冷気循環式のリーチインショーケースにおいて、
前記ショーケース本体に取付けられて前記透明扉体の外側に配置された庫外照明灯と、
前記リーチインショーケースの近くに居る人の有無を検出する人感センサと、が設けられ、
前記庫外照明灯は、前記リーチインショーケースが設置された店舗の営業時間中は常時点灯され、
前記庫内照明灯は、光度を上げ下げ切替可能に設けられ、前記人感センサが前記ショーケースの近くに居る人を検出している場合には光度を上げられ、前記人感センサが前記ショーケースの近くに居る人を検出していない場合には光度を下げられることを特徴とするリーチインショーケース。
【請求項２】
前記庫外照明灯は、光度を上げ下げ切替可能に設けられ、前記人感センサの検出結果に応じて前記庫内照明灯が光度を上げられている場合には光度を下げられていることを特徴とする請求項１記載のリーチインショーケース。
【請求項３】
前記庫内照明灯と前記庫外照明灯との光度の上げ下げ切替は、前記リーチインショーケースの庫外側の照度の値が一定に維持されるように行われることを特徴とする請求項２記載のリーチインショーケース。
【発明の詳細な説明】
【技術分野】
【０００１】
本発明は、スーパーマーケットやコンビニエンスストア等の店舗に設置され、商品を陳列販売するために用いられる冷気循環式のリーチインショーケースに関する。
【背景技術】
【０００２】
従来、スーパーマーケットやコンビニエンスストア等の店舗では、冷凍食品や生鮮食品を陳列販売するために冷気循環式のリーチインショーケースが使用されている。これらのリーチインショーケースは、前面に開口が形成されるとともに内部に商品陳列室が形成されたショーケース本体を有し、ショーケース本体には開口を開閉可能とするガラス扉が設けられている。さらに、商品陳列室内には庫内照明灯が設けられている。庫内照明灯は、主として商品陳列室内に陳列されている商品を照らすために用いられており、庫内照明灯の取付構造としては様々なものが知られている（例えば、下記特許文献１，２参照）。
【先行技術文献】
【特許文献】
【０００３】
【特許文献１】特開平８−２２４１５０号公報
【特許文献２】特開平８−５６７９２号公報
【発明の概要】
【発明が解決しようとする課題】
【０００４】
しかしながら、上述した特許文献１，２に記載されたリーチインショーケースでは、リーチインショーケースの庫外側（例えば、リーチインショーケースの前面側の通路、リーチインショーケースの外装パネル等）の照明は庫内照明灯を利用しており、庫内照明灯から出射されてガラス扉を透過した光によりリーチインショーケースの庫外側を照明している。このため、ガラス扉を有しないタイプのオープンショーケースに比べると、リーチインショーケースの庫外側の照度が低くなっている。
【０００５】
また近年では、庫内照明灯としてＬＥＤを用いたリーチインショーケースが普及している。ＬＥＤは指向性が強く、しかも、ＬＥＤの照射方向は商品陳列室内に向けられている。このため、庫内照明灯としてＬＥＤを用いた場合には、庫内照明灯として蛍光灯を用いた場合に比べてガラス扉を透過する光が少なくなり、リーチインショーケースの庫外側の照度がより一層低くなっている。
【０００６】
庫内照明灯から出射された光によるリーチインショーケースの庫外側の照度を高くするためには、庫内照明灯の光度を上げることが考えられる。しかし、庫内照明灯の光度を上げると、庫内照明灯からの発熱量が増加して商品陳列室内を循環する冷気を暖めることになるため、庫内照明灯の光度を上げることは冷気の生成に関する熱効率を低下させることになる。
【０００７】
本発明は、このような課題を解決するためになされたものであり、その目的は、リーチインショーケースの庫外側の照度を高くするとともに、庫内照明灯からの熱により商品陳列室内を循環する冷気を暖めることを抑制して冷気の生成に関する熱効率を高めることができるリーチインショーケースを提供することである。
【課題を解決するための手段】
【０００８】
本発明に係るリーチインショーケースは、前面に開口が形成されるとともに内部に商品陳列室が形成されたショーケース本体と、前記開口を開閉可能とする透明扉体と、前記透明扉体の内側である前記商品陳列室内に配置された庫内照明灯とを有する冷気循環式のリーチインショーケースにおいて、前記ショーケース本体に取付けられて前記透明扉体の外側に配置された庫外照明灯と、前記リーチインショーケースの近くに居る人の有無を検出する人感センサと、が設けられ、前記庫外照明灯は、前記リーチインショーケースが設置された店舗の営業時間中は常時点灯され、前記庫内照明灯は、光度を上げ下げ切替可能に設けられ、前記人感センサが前記ショーケースの近くに居る人を検出している場合には光度を上げられ、前記人感センサが前記ショーケースの近くに居る人を検出していない場合には光度を下げられることを特徴とする。
【０００９】
また、前述の本発明に係るリーチインショーケースにおいて、前記庫外照明灯は、光度を上げ下げ切替可能に設けられ、前記人感センサの検出結果に応じて前記庫内照明灯が光度を上げられている場合には光度を下げられていることが望ましい。
【００１０】
また、前述の本発明に係るリーチインショーケースにおいて、前記庫内照明灯と前記庫外照明灯との光度の上げ下げ切替は、前記リーチインショーケースの庫外側の照度の値が一定に維持されるように行われることが望ましい。
【発明の効果】
【００１１】
本発明に係るリーチインショーケースによれば、店舗の営業中はショーケース本体に取付けられて透明扉体の外側に配置された庫外透明灯が常時点灯されているため、庫内照明灯の光度を上げなくてもリーチインショーケースの庫外側の照度を高くすることができる。さらに、庫内照明灯は、人感センサがリーチインショーケースの近くに居る人を検出している場合には光度を上げられ、人感センサがリーチインショーケースの近くに居る人を検出していない場合には光度を下げられるため、リーチインショーケースの近くに人が居る場合には庫内照明灯の光度を上げることにより商品陳列室内の商品をその人から見易くすることができる。一方、リーチインショーケースの近くに人がおらず、商品陳列室内の商品を照明する必要がない場合には、庫内照明灯の光度を下げることにより庫内照明灯からの発熱量を低下させ、庫内照明灯からの熱により商品陳列室内を循環する冷気を暖めることを抑制して冷気の生成に関する熱効率を高めることができる。
【００１２】
また、人感センサの検出結果に応じて庫内照明灯の光度が上げられている場合には、庫外照明灯の光度が下げられるので、庫内照明灯と庫外照明灯とによるリーチインショーケースの庫外側の照度を確保しつつ、庫外照明灯の光度を下げることにより庫外照明灯の電力消費量を抑制して省エネを図ることができる。
【００１３】
また、庫内照明灯と庫外照明灯との光度の上げ下げ切替は、リーチインショーケースの庫外側の照度の値が一定に維持されるように行われるので、リーチインショーケースの庫外側の照度環境を一定に維持することができる。
【図面の簡単な説明】
【００１４】
【図１】本発明の一実施形態のリーチインショーケースを示す断面側面図である。
【図２】照明に関する構成部品の電気的な接続構造を示すブロック図である。
【図３】庫内照明灯と庫外照明灯との点灯制御について説明するフローチャートである。
【発明を実施するための形態】
【００１５】
本発明の一実施形態について、図面に基づいて説明する。図１は、リーチインショーケース１を示す断面側面図である。リーチインショーケース１は、前面に開口２が形成されるとともに内部に商品陳列室３が形成された箱形状のショーケース本体４を有している。ショーケース本体４には、開口２を開閉可能とする透明扉体であるガラス扉５が取付けられている。
【００１６】
ショーケース本体４は、断熱材により形成された外周壁６と、外周壁６の内側に位置する区画壁７とを有し、ショーケース本体４内における区画壁７で囲まれた領域が商品陳列室３とされている。商品陳列室３内には、商品を陳列する複数段の商品陳列棚８が上下方向に配列されている。
【００１７】
外周壁６と区画壁７との間には、ダクト９が形成されている。ダクト９内には、ショーケース本体４内の空気をダクト９内を通して循環させる送風ファン１０と、送風ファン１０により送風された空気を冷却して冷気を生成する冷却器１１とが収容されている。ダクト９の上部の開口２側の先端部には、下向きに開口した吹出口１２が形成され、ダクト９の下部の開口２側の先端部には、上向きに開口した吸込口１３が形成されている。送風ファン１０により送風されて冷却器１１により生成された冷気は、吹出口１２から下向きに吹き出して吸込口１３から吸込まれ、吹出口１２と吸込口１３との間に冷気のエアカーテンが形成されるようになっている。
【００１８】
ショーケース本体４には、ガラス扉５の内側である商品陳列室３内に配置された庫内照明灯１４が取付けられている。庫内照明灯１４は、上下方向に延出する向きに配置されている。また、庫内照明灯１４は、光度を上げ下げ切替可能に設けられている。庫内照明灯１４から出射された光は、商品陳列棚８に陳列されている商品を照明するとともに、その光の一部はガラス扉５を透過してリーチインショーケース１の庫外側（例えば、リーチインショーケース１の前面側の通路１５、リーチインショーケース１の外装パネル１６等）を照明するようになっている。
【００１９】
ショーケース本体４の上部には、ガラス扉５の外側に配置され、ショーケース本体４の横幅方向に沿って水平方向に延出したキャノピー１７が取付けられている。このキャノピー１７の下側には、ショーケース本体４の横幅方向に沿って水平方向に延出した庫外照明灯１８が取付けられている。庫外照明灯１８は、リーチインショーケース１が設置された店舗の営業時間中は常時点灯されるようになっている。また、庫外照明灯１８は、光度を上げ下げ切替可能に設けられている。庫外照明灯１８から出射された光は、リーチインショーケース１の庫外側（例えば、リーチインショーケース１の前面側の通路１５、リーチインショーケース１の外装パネル１６等）を照明するようになっている。
【００２０】
図２は、リーチインショーケース１の照明に関する構成部品の電気的な接続構造を示すブロック図である。リーチインショーケース１にはリーチインショーケース１の各部を制御する制御部１９が設けられており、この制御部１９には、庫内照明灯１４と、庫外照明灯１８と、人感センサ２０と、タイマ機能を備えた制御盤２１とが接続されている。人感センサ２０は、リーチインショーケース１の近くに居る人の有無を検出するセンサであり、ショーケース本体４、又は、リーチインショーケース１が設置されている場所の天井部分等に取付けられている。制御盤２１は、リーチインショーケース１の制御に関する各種の設定を行う部分であり、例えば、店舗の開店時間や閉店時間、庫内照明灯１４や庫外照明灯１８の光度の上げ下げ切替の値等を設定できるようになっている。
【００２１】
図３は、庫内照明灯１４と庫外照明灯１８との点灯制御について説明するフローチャートである。まず、店舗の開店時間になったか否かが判断される（ステップＳ１）。
【００２２】
店舗の開店時間になった場合は（ステップＳ１のＹＥＳ）、庫内照明灯１４が低光度状態で点灯され（ステップＳ２）、庫外照明灯１８が高光度状態で点灯される（ステップＳ３）。
【００２３】
庫内照明灯１４と庫外照明灯１８とが点灯された後、閉店時間になったか否かが判断される（ステップＳ４）。閉店時間になった場合には（ステップＳ４のＹＥＳ）、庫内照明灯１４が消灯され（ステップＳ５）、庫外照明灯１８が消灯され（ステップＳ６）、ステップＳ１に戻る。
【００２４】
一方、閉店時間になっていない場合には（ステップＳ４のＮＯ）、人感センサ２０がリーチインショーケース１の近くに人が居ることを検出したか否かが判断される（ステップＳ７）。リーチインショーケース１の近くに人が居ることを検出しない場合には（ステップＳ７のＮＯ）、ステップＳ４に戻る。
【００２５】
一方、リーチインショーケース１の近くに人が居ることを検出した場合には（ステップＳ７のＹＥＳ）、庫内照明灯１４の光度が高光度に切替えられ（ステップＳ８）、さらに、庫外照明灯１８の光度が低光度に切替えられる（ステップＳ９）。
【００２６】
庫内照明灯１４と庫外照明灯１８との光度切替えが行われた後、人感センサ２０が人の検出を終了したか否かが判断される（ステップＳ１０）。人感センサ２０が引き続き人を検出している場合には（ステップＳ１０のＮＯ）、ステップＳ４に戻る。
【００２７】
一方、人感センサ２０が人の検出を終了した場合には（ステップＳ１０のＹＥＳ）、庫内照明灯１４の光度が低光度に切替えられ（ステップＳ１１）、さらに、庫外照明灯１８の光度が高光度に切替えられ（ステップＳ１２）、ステップＳ４に戻る。
【００２８】
ここで、人感センサ２０の検出結果に基づく庫内照明灯１４と庫外照明灯１８との光度の切替は、庫内照明灯１４が低光度で点灯されるとともに庫外照明灯１８が高光度で点灯される場合におけるリーチインショーケース１の庫外側の照度と、庫内照明灯１４が高光度で点灯されるとともに庫外照明灯１８が低光度で点灯された場合におけるリーチインショーケース１の庫外側の照度とが、一定に維持されるように行われている。
【００２９】
なお、庫内照明灯１４の光度の切替えについて、低光度と高光度とに切替えることを説明したが、低光度の一例としては、消灯状態も含まれるものである。
【００３０】
このような構成において、このリーチインショーケース１では、送風ファン１０が駆動されるとともに冷却器１１が駆動されることにより、ダクト９内を送風された空気が冷却器１１により冷却されて冷気となり、その冷気が吹出口１２から吹出すとともに吸込口１３から吸込まれてダクト９内に入り、冷却器１１により再び冷却される。このようにして、冷却器１１で冷却された冷気が商品陳列室３内を循環することにより、商品陳列棚８に陳列されている商品が冷却される。
【００３１】
庫内照明灯１４が点灯されると、庫内照明灯１４から出射された光の一部はガラス扉５を透過してリーチインショーケース１の庫外側（例えば、リーチインショーケース１の前面側の通路１５、リーチインショーケース１の外装パネル１６等）を照明するようになっている。また、庫外照明灯１８が点灯されると、庫外照明灯１８から出射された光は、リーチインショーケース１の庫外側を照明するようになっている。
【００３２】
ここで、庫外照明灯１８は、店舗の営業時間中は常時点灯され、リーチインショーケース１の庫外側を常時照明している。このため、庫内照明灯１４の光度を上げなくても、リーチインショーケース１の庫外側の照度を高くすることができ、リーチインショーケース１の周囲がうす暗くなることを防止することができる。
【００３３】
庫内照明灯１４は、人感センサ２０がリーチインショーケース１の近くに居る人を検出していない場合には光度を下げられ、人感センサ２０がリーチインショーケース１の近くに居る人を検出している場合には光度を上げられている。このため、リーチインショーケース１の近くに人が居る場合には庫内照明灯１４の光度を上げることにより商品陳列室３内の商品の照明を良好に行うことができ、リーチインショーケース１の近くに居る人に対して商品陳列室３内の商品を見易くすることができる。一方、リーチインショーケース１の近くに人がおらず、商品陳列室３内の商品を照明する必要がない場合には、庫内照明灯１４の光度を下げることにより庫内照明灯１４からの発熱量を低下させ、庫内照明灯１４からの熱により商品陳列室３内を循環する冷気を暖めることを抑制して冷気の生成に関する熱効率を高めることができる。
【００３４】
また、リーチインショーケース１の近くに居る人の検出結果に基づいて庫内照明灯１４の光度が上げられた場合には、庫外照明灯１８の光度が下げられる。庫内照明灯１４の光度が上がることにより、庫内照明灯１４から出射された光によるリーチインショーケース１の庫外側の照度が高くなるので、庫外照明灯１８の光度を下げてもリーチインショーケース１の庫外側の照度を維持することかできる。そして、庫外照明灯１８の光度を下げることにより、庫外照明灯１８での電力消費量を抑制して省エネを図ることができる。
【００３５】
また、人感センサ２０の検出結果に基づき庫内照明灯１４と庫外照明灯１８との光度が上げ下げ切替された場合において、その上げ下げ切替は、リーチインショーケース１の庫外側の照度が一定に維持されるように行われるため、リーチインショーケース１の庫外側の照度環境を一定に維持することができる。
【００３６】
本発明は、前述の実施形態に限るものではなく、その要旨を逸脱しない範囲において種々変更可能である。例えば、前述の実施形態に示される全構成要素から幾つかの構成要素を削除してもよく、さらに、異なる実施形態に係る構成要素を適宜組み合わせてもよい。
【符号の説明】
【００３７】
１    リーチインショーケース
２    開口
３    商品陳列室
４    ショーケース本体
５    ガラス扉（透明扉体）
６    外周壁
７    区画壁
８    商品陳列棚
９    ダクト
１０    送風ファン
１１    冷却器
１２    吹出口
１３    吸込口
１４    庫内照明灯
１５    通路
１６    外装パネル
１７    キャノピー
１８    庫外照明灯
１９    制御部
２０    人感センサ
２１    制御盤
【図１】
2015181762.tif 000003
【図２】
2015181762.tif 000004
【図３】
2015181762.tif 000005